(57)【要約】【課題】従来のような掃除具を必要とせず、ゴルフクラブにおけるヘッドのフェース溝に入り込んだ芝、砂、塵埃、土等の付着物を、ゴルフグローブに付設したブラシ部により容易に除去できるようにしたブラシ部付きのゴルフグローブを提供する。【解決手段】本考案は、ゴルフクラブＰにおけるヘッドＨのフェース溝Ｑに入り込んだ芝、砂、塵埃、土等の付着物を除去するブラシ部２を備えていることを特徴とするブラシ部２付きのゴルフグローブ１である。また、ブラシ部２を、略長方形状に形成し、ゴルフグローブ１における甲部の小指付け根側部分から手首側部分にかけて付設している。【選択図】図３
0003113275.tif 000002
【実用新案登録請求の範囲】
【請求項１】
ゴルフクラブにおけるヘッドのフェース溝に入り込んだ芝、砂、塵埃、土等の付着物を除去するブラシ部を備えていることを特徴とするブラシ部付きのゴルフグローブ。
【請求項２】
ブラシ部を、ゴルフグローブにおける甲部の小指付け根側部分に付設した請求項１に記載のブラシ部付きのゴルフグローブ。
【請求項３】
ブラシ部を、略長方形状に形成し、ゴルフグローブにおける甲部の小指付け根側部分から手首側部分にかけて付設した請求項１または２に記載のブラシ部付きのゴルフグローブ。
【請求項４】
ブラシ部を、軟質プラスチック、ビニール、ゴム等の可撓性部材により形成した請求項１乃至３のいずれかに記載のブラシ部付きのゴルフグローブ。
【考案の詳細な説明】
【技術分野】
【０００１】
本考案は、ゴルフクラブにおけるヘッドのフェース溝に入り込んだ芝、砂、塵埃、土等の付着物を除去するために、ゴルフグローブの所定の部分にブラシ部を付設したブラシ部付きのゴルフグローブに関するものである。
【背景技術】
【０００２】
従来において、ゴルフクラブにおけるヘッドのフェース溝に入り込んだ芝、砂、塵埃、土等の付着物を除去する場合には、例えば、刷毛やブラシ具等の掃除具を別個に用意し、この掃除具を手に持ってヘッドのフェース溝に当接した状態で所定の方向に移動させることにより、フェース溝に入り込んだ付着物を除去していた。
【特許文献１】特に無し
【考案の開示】
【考案が解決しようとする課題】
【０００３】
しかしながら、ゴルフのプレー中において、ゴルフクラブでゴルフボールを打った後、所定の掃除具を手に持って、ヘッドのフェース溝に入り込んだ付着物を自分で除去するのは非常に面倒である。
【０００４】
特に、キャディーのいないセルフプレーにおいては、乗用カート等に掃除具が備えられていることが多いため、ゴルフクラブでゴルフボールを打った後、いちいち乗用カートまで歩いて行って掃除具を手に持ってヘッドのフェース溝に入り込んだ付着物を除去しなければならず、非常に面倒であった。
【０００５】
そこで、本考案は如上のような従来存した諸事情に鑑み創案されたもので、従来のような掃除具を必要とせず、ゴルフクラブにおけるヘッドのフェース溝に入り込んだ芝、砂、塵埃、土等の付着物を、ゴルフグローブに付設したブラシ部により容易に除去できるようにしたブラシ部付きのゴルフグローブを提供することを目的とする。
【課題を解決するための手段】
【０００６】
上述した目的を達成するため、本考案は、ゴルフクラブにおけるヘッドのフェース溝に入り込んだ芝、砂、塵埃、土等の付着物を除去するブラシ部を備えていることを特徴とするブラシ部付のゴルフグローブにより、上述した課題を解決した。
【０００７】
また、ブラシ部を、ゴルフグローブにおける甲部の小指付け根側部分に付設したことで、同じく上述した課題を解決した。
【０００８】
さらに、ブラシ部を、略長方形状に形成し、ゴルフグローブにおける甲部の小指付け根側部分から手首側部分にかけて付設したことで、同じく上述した課題を解決した。
【０００９】
また、ブラシ部を、軟質プラスチック、ビニール、ゴム等の可撓性部材により形成したことで、同じく上述した課題を解決した。
【考案の効果】
【００１０】
本考案によれば、ゴルフクラブにおけるヘッドのフェース溝に入り込んだ芝、砂、塵埃、土等の付着物を除去するブラシ部をゴルフグローブ自身が備えていることから、従来のように掃除具を手に持つ必要がなく、ゴルフクラブのヘッドのフェース溝に入り込んだ芝、砂、塵埃、土等の付着物を、ゴルフグローブを手に装着したままの状態で容易に除去することができる。
【００１１】
すなわち、ゴルフグローブのブラシ部にヘッドのフェース溝を当接させ、所定の方向にヘッドを移動させるだけで、フェース溝に入り込んだ付着物を、ゴルフボールを打ったその場において容易に除去できるのである。
【００１２】
その結果、ゴルフクラブでゴルフボールを打った後、掃除具が備えられている乗用カートまで歩いて行く必要もなく、ゴルフプレーを速やかに進行できる。さらに、プレーヤーの歩行距離も短くなって、疲れも生じにくいものとなる。
【００１３】
また、ブラシ部を、ゴルフグローブにおける甲部の小指付け根側部分に付設したことから、ゴルフグローブのブラシ部にヘッドのフェース溝を無理なく自然に当接でき、その状態でヘッドを移動させて、フェース溝に入り込んだ付着物を確実に除去することができる。
【００１４】
さらに、ブラシ部を、略長方形状に形成し、ゴルフグローブにおける甲部の小指付け根側部分から手首側部分にかけて付設したことから、ブラシ部がゴルフクラブのヘッド全体に当接し、フェース溝に入り込んだ付着物を確実に除去することができる。
【００１５】
また、ブラシ部を、軟質プラスチック、ビニール、ゴム等の可撓性部材により形成したことから、ゴルフクラブのヘッドに傷を付けることなく、フェース溝に入り込んだ芝、砂、塵埃、土等の付着物を確実に除去することができる。
【考案を実施するための最良の形態】
【００１６】
以下に、本考案を実施するための最良の形態を、図面を参照して説明する。
【００１７】
本考案に係るゴルフグローブ１は、ゴルフクラブＰにおけるヘッドＨのフェース溝Ｑに入り込んだ芝、砂、塵埃、土等の付着物を除去するブラシ部２を備えていることを特徴とする。
【００１８】
一般的にゴルフグローブ１は、ゴルフクラブＰを握ってスイングする際に使用されるもので、例えば、軟質の天然皮革または合成皮革等を用いて手袋状に縫製されている。
【００１９】
このゴルフグローブ１は、図１に示すように、指を挿入する部分に複数の通気用の小孔３が穿設されている。また、手首側の開口部４における甲部側には、切開溝５を設けることにより、ゴルフグローブ１における手の挿入を容易なものとしている。
【００２０】
そして、図２に示すように、この切開溝５における一方の縁にベルト片６を延設し、このベルト片６の裏面に面ファスナーのループシート７を固着している。一方、ベルト片６に対応して、切開溝５における他方の縁から甲部側表面の一部にかけて面ファスナーのフックシート８を縫着している。
【００２１】
ゴルフグローブ１の使用に際しては、図２に示すように、ゴルフグローブ１の手首側の開口部４から手を挿入し、ベルト片６のループシート７を甲部側のフックシート８に貼着して切開溝５を近接させ、開口部４を若干きつめに閉塞することにより、ゴルフクラブＰのスイング時に、ゴルフグローブ１が手から抜けてしまう事態の発生を防止している。
【００２２】
このゴルフグローブ１は、ゴルフクラブＰを握ってスイングする際に支障とならない部分に、例えば、軟質プラスチック、ビニール、ゴム等の可撓性部材により髭毛状に植設されたブラシ部２が付設されている。
【００２３】
具体的には、ブラシ部２は、図１に示すように、ゴルフグローブ１における甲部の小指付け根側部分に付設されている。このブラシ部２は、略長方形状に形成され、ゴルフグローブ１における甲部の小指付け根側部分から手首側部分にかけて付設されている。
【００２４】
次に、以上のように構成された本考案の最良の形態について、使用・動作の一例を説明する。
【００２５】
まず、図２に示すように、ゴルフグローブ１の手首側の開口部４から手を挿入し、ベルト片６のループシート７を甲部側のフックシート８に貼着して、開口部４を若干きつめに閉塞する。
【００２６】
そして、ゴルフクラブＰを握ってゴルフボールを打った後、図３に示すように、ゴルフグローブ１のブラシ部２にゴルフクラブＰのヘッドＨを当接させ、ゴルフクラブＰのヘッドＨを、ゴルフグローブ１を装着している左手に対して直交する方向に移動させることで、フェース溝Ｑに入り込んだ芝、砂、塵埃、土等の付着物が除去される。
【００２７】
また、図４に示すように、ゴルフグローブ１のブラシ部２にゴルフクラブＰのヘッドＨを当接させ、ゴルフクラブＰのヘッドＨを、ゴルフグローブ１を装着している左手と並行に移動させることでも、フェース溝Ｑに入り込んだ芝、砂、塵埃、土等の付着物が除去される。
【００２８】
尚、図１乃至図４は、右利きのゴルフプレーヤーが、左手にゴルフグローブ１を装着している例を示しているが、これに限定されることはなく、左利きのゴルフプレーヤーが、右手にゴルフグローブ１を装着する場合も、本考案に含まれるものである。
【産業上の利用可能性】
【００２９】
本考案は、従来のような掃除具を必要とせず、ゴルフクラブにおけるヘッドのフェース溝に入り込んだ芝、砂、塵埃、土等の付着物を、ゴルフグローブに付設したブラシ部により容易に除去できるブラシ部付きのゴルフグローブとして、ゴルフプレーヤーに広く利用されるものである。
【図面の簡単な説明】
【００３０】
【図１】ブラシ部を備えたゴルフグローブの全体構成を示す平面図である。
【図２】ブラシ部を備えたゴルフグローブを手に装着する状態を示す平面図である。
【図３】ゴルフグローブのブラシ部にゴルフクラブのヘッドを当接させ、ゴルフクラブのヘッドを、ゴルフグローブを装着している左手に対して直交する方向に移動させてヘッドの付着物を除去している状態を示す斜視図である。
【図４】ゴルフグローブのブラシ部にゴルフクラブのヘッドを当接させ、ゴルフクラブのヘッドを、ゴルフグローブを装着している左手と並行に移動させてヘッドの付着物を除去している状態を示す斜視図である。
【符号の説明】
【００３１】
Ｐ…ゴルフクラブ                Ｈ…ヘッド
Ｑ…フェース溝
１…ゴルフグローブ              ２…ブラシ部
３…小孔                        ４…開口部
５…切開溝                      ６…ベルト片
７…ループシート                ８…フックシート
【図１】
0003113275.tif 000003
【図２】
0003113275.tif 000004
【図３】
0003113275.tif 000005
【図４】
0003113275.tif 000006